(57)【特許請求の範囲】
【請求項１】
階調を有する基本画像に少なくとも３色のインキを用い、前記基本画像は、階調を有する背景画像部と少なくとも一つ以上の潜像画像部が設けられ、通常可視光下では階調を有する基本画像が視認でき、紫外線を照射して観察した場合に前記潜像画像部が暗く視認され、且つ、赤外線反射表示装置で観察した場合に、前記紫外線を照射して観察した場合と同一の前記潜像画像部が赤外吸収部として視認できる印刷物の潜像作成方法において、
前記階調を有する基本画像に対して、任意の有彩色の第１のインキと赤外線吸収材料を含有した無彩色の第２のインキのダブルトーンでの色彩と、前記第１のインキと前記第１のインキとほぼ補色となるインキに紫外線を照射すると可視光で発光する蛍光顔料を含有した第３のインキのダブルトーンでの色彩が、ほぼ等色となるように色分解したデータを作成する工程と、
前記色分解したデータから前記第１のインキと第２のインキのダブルトーンでの第１のインキ用の分色版と第２のインキ用の分色版、及び、前記第１のインキと第３のインキのダブルトーンでの第１のインキ用の分色版と第３のインキ用の分色版を作成する工程と、
前記第１のインキと第２のインキのダブルトーンでの第１のインキ用の分色版と第２のインキ用の分色版に前記潜像画像部をマスキングし、前記第１のインキと第３のインキのダブルトーンでの第１のインキ用の分色版と第３のインキ用の分色版に前記階調を有する背景画像部をマスキングする工程と、
前記潜像画像部をマスキングした前記第１のインキと第２のインキのダブルトーンでの第１のインキ用の分色版と、前記階調を有する背景画像部をマスキングした前記第１のインキと第３のインキのダブルトーンでの第１のインキ用の分色版を重ね合せる工程と、
前記重ね合わせて得られた第１のインキ用の分色版と、前記潜像画像部をマスキングした第２のインキ用の分色版及び前記階調を有する背景画像部をマスキングした第３のインキ用の分色版から、第１のインキ用の版面、第２のインキ用の版面及び第３のインキ用の版面を作成する工程と、
前記第１のインキ用の版面、第２のインキ用の版面及び第３のインキ用の版面を用いて印刷する工程からなるダブルトーン印刷による潜像作成方法。
【請求項２】
階調を有する基本画像に少なくとも３色のインキを用い、前記基本画像は、階調を有する背景画像部と少なくとも一つ以上の潜像画像部が設けられ、通常可視光下では前記階調を有する基本画像が視認でき、紫外線を照射して観察した場合に前記潜像画像部が可視光で発光して視認され、且つ、赤外線反射表示装置で観察した場合に、前記紫外線を照射して観察した場合と同一の前記潜像画像部が赤外線反射部として視認できる印刷物の潜像作成方法において、任意の有彩色の第１のインキと赤外線吸収材料を含有した無彩色の第２のインキのダブルトーンでの色彩と、前記第１のインキと前記第１のインキとほぼ補色となるインキに紫外線を照射すると可視光で発光する蛍光顔料を含有した第３のインキのダブルトーンでの色彩が、ほぼ等色となるように色分解したデータを作成する工程と、
前記色分解したデータから前記第１のインキと第２のインキのダブルトーンでの第１のインキ用の分色版と第２のインキ用の分色版、及び、前記第１のインキと第３のインキのダブルトーンでの第１のインキ用の分色版と第３のインキ用の分色版とを作成する工程と、
前記第１のインキと第２のインキのダブルトーンでの第１のインキ用の分色版と第２のインキ用の分色版に前記階調を有する背景画像部をマスキングし、前記第１のインキと第３のインキのダブルトーンでの第１のインキ用の分色版と第３のインキ用の分色版に前記潜像画像部をマスキングする工程と、
前記階調を有する背景画像部をマスキングした前記第１のインキと第２のインキのダブルトーンでの第１のインキ用の分色版と、前記潜像画像部をマスキングした前記第１のインキと第３のインキのダブルトーンでの第１のインキ用の分色版を重ね合せる工程と、
前記重ね合せて得られた第１のインキ用の分色版と、前記階調を有する背景画像部をマスキングした第２のインキ用の分色版及び前記潜像画像部をマスキングした第３のインキ用の分色版から、第１のインキ用の版面、第２のインキ用の版面及び第３のインキ用の版面を作成する工程と、
前記第１のインキ用の版面、第２のインキ用の版面及び第３のインキ用の版面を用いて印刷する工程からなるダブルトーン印刷による潜像作成方法。
【請求項３】
基材上に階調を有する基本画像を設け、前記階調を有する基本画像は少なくとも一つ以上の潜像画像部と階調を有する背景画像部が設けられ、前記潜像画像部は任意の有彩色の第１のインキで印刷する第１の版面と赤外線吸収材料を含有した無彩色の第２のインキで印刷する第２の版面によって印刷され、前記階調を有する背景画像部は任意の有彩色の第１のインキで印刷する第１の版面と前記第１のインキとほぼ補色となるインキに紫外線を照射すると可視光で発光する蛍光顔料を含有した第３のインキで印刷する第３の版面によって印刷され、
前記第１のインキと前記第２のインキのダブルトーンでの色彩と、前記第１のインキと前記第３のインキのダブルトーンでの色彩がほぼ等色であることを特徴とした印刷物であって、
前記印刷物は通常可視光下では階調を有する基本画像が視認でき、紫外線を照射して観察した場合に前記潜像画像部が暗く視認され、且つ、赤外線反射表示装置で観察した場合に、前記紫外線を照射して観察した場合と同一の前記潜像画像部が赤外吸収部として視認できることを特徴とした印刷物。
【請求項４】
基材上に階調を有する基本画像を設け、前記階調を有する基本画像は少なくとも一つ以上の潜像画像部と階調を有する背景画像部が設けられ、前記潜像画像部は任意の有彩色の第１のインキで印刷する第１の版面と前記第１のインキとほぼ補色となるインキに紫外線を照射すると可視光で発光する蛍光顔料を含有した第３のインキで印刷する第３の版面によって印刷され、前記階調を有する背景画像部は任意の有彩色の第１のインキで印刷する第１の版面と赤外線吸収材料を含有した無彩色の第２のインキで印刷する第２の版面によって印刷され、
前記第１のインキと前記第２のインキのダブルトーンでの色彩と、前記第１のインキと前記第３のインキのダブルトーンでの色彩がほぼ等色であることを特徴とした印刷物であって、
前記印刷物は通常可視光下では前記階調を有する基本画像が視認でき、紫外線を照射して観察した場合に前記潜像画像部が可視光で発光して視認され、且つ、赤外線反射表示装置で観察した場合に、前記紫外線を照射して観察した場合と同一の前記潜像画像部が赤外線反射部として視認できることを特徴とした印刷物。
【発明の詳細な説明】
【０００１】
【発明の属する技術分野】
本発明は、銀行券、株券、有価証券、通行券、パスポート、商品券、カード等の偽造、複写を防止する必要性のある貴重印刷物に適用されるダブルトーン印刷による潜像作成方法及びその印刷物に関するものである。
【０００２】
【従来の技術】
ダブルトーンとは、同一の原図からスクリーン角度を変えて２枚の網ネガを撮影し、それから２枚の網凸版を作る２色網版。主要色（通常墨刷り）で刷る版はスクリーン角度４５度で、コントラストの強い版に仕上げ、他の１版はこれと角度を変えて軟調に仕上げ、淡色で刷り重ねると、２色効果のグラデーションの豊かな印刷ができる。また、１枚の網ネガから硬軟２種の網凸版を作り、濃淡２種のインキでモアレの生じないように刷り重ねて作ったダブルトーンをデュオタイプという（印刷辞典  日本印刷学会編）。また、補色同士の色をカラーマッチングを行う分色方法は、商業広告等の印刷で利用されている。
【０００３】
一方、銀行券、株券、有価証券、通行券、商品券、カード等の貴重印刷物は、その性質上、偽造や改竄されないことが要求される。この防止策として、紫外線を照射時に可視光で発光する蛍光インキや、赤外線を吸収する材料を含有した赤外線吸収インキを用いることで、通常、可視光下では上記インキで印刷した領域は視認できず、紫外線や赤外線を照射することにより上記インキで印刷した領域が顕在化する技術が利用されている。
【０００４】
赤外線吸収インキを用いた偽造防止策として、赤外線センサにより検出され得る印刷の施された印刷物であり、前記印刷物には赤外吸収特性の異なるインキによって印刷された印刷領域が形成されていることを特徴とした赤外吸収印刷物が開示されている。また、印刷領域が赤外吸収特性を有する印刷インキにより印刷された第１の印刷領域と、一般の印刷インキにより印刷された第２の印刷領域とから構成され、第１の印刷領域と第２の印刷領域の色調とが視覚的に判別困難である印刷物であり、第１の印刷領域の印刷インキが赤外吸収顔料を含有する印刷インキで印刷し、赤外線の反射により第１の印刷領域が顕像化することを特徴とした赤外吸収印刷物が開示されている（特開昭６３−３０７９９６号公報参照）。
【０００５】
紫外線を照射して可視光で発光する蛍光インキを用いた偽造防止策として、可視光線以外の励起光を照射したときに可視光線を発光する１種または２種以上の蛍光インキが印刷されており、励起光を照射したときに蛍光インキの発光によって肉眼で視認し得る画像が形成される印刷物であって、画像が形成される領域には蛍光インキが印刷されていない部分が設けられており、励起光を照射したときに該部分が黒色に見えることを特徴とする蛍光印刷物が開示されている（特開平１０−２８７０３４号公報参照）。
【０００６】
紫外線を照射して可視光で発光する無色蛍光インキを用いた偽造防止策として、カード面に無色蛍光インキで顔写真等の階調画像が印刷されていることを特徴とする無色蛍光画像入りカードが開示されている（実公平０７−５３９８７号公報参照）。
【０００７】
更に、紫外線及び赤外線を照射することによりパターンが顕在化する偽造防止策として、紫外光の照射により励起されて可視光を発光する第一蛍光体と赤外光の照射により励起されて照射した上記赤外光とは波長の異なる赤外光を発する第二蛍光体を含有する情報パターンが、基材上に設けられていることを特徴とする情報担持シートが開示されている（特開平０９−５２４７９号公報参照）。
【０００８】
更に、本出願人は連続階調画像を表現するための網点を印刷する際に、前記網点を印刷するためのハーフトーン領域としてｍ×ｍピクセル（ｍ≧２、ｍは整数）のハーフトーン領域とｎ×ｎピクセル（１≦ｎ＜ｍ、ｎは整数）のハーフトーン領域の２種類のハーフトーン領域を設け、前記２種類のハーフトーン領域を互いに重なることなく配置するとともに、互いに独立した領域にある４つの前記ｍ×ｍピクセルのハーフトーン領域が１つの前記ｎ×ｎピクセルのハーフトーン領域の周囲を隙間なく囲繞し、互いに独立した領域にある４つの前記ｎ×ｎピクセルのハーフトーン領域が１つの前記ｍ×ｍピクセルのハーフトーン領域の外周に沿って等間隔に配置されるように前記２種類のハーフトーン領域を構成した上で、前記２種類のハーフトーン領域の双方の種類のハーフトーン領域を用いて前記網点が印刷されていることを特徴とする網点印刷物及びその印刷方法を出願している（特開２００１−２０５９１７号公報参照）。
【０００９】
【発明が解決しようとする課題】
しかしながら、特開昭６３−３０７９９６号公報、特開平１０−２８７０３４号公報、実公平０７−５３９８７号公報のように潜像画像を印刷物に埋め込む場合、赤外線又は紫外線での潜像画像の版面を作成、背景画像部の版面を作成する必要があった。基本画像内に赤外線及び紫外線でそれぞれ潜像画像を埋め込むには、最低、印刷版面を３版作成する必要があり、潜像画像を有しない通常の同じインキの数を用いた印刷物と比較し、再現可能な色が少なくなるという問題があった。潜像画像を有しない通常の印刷物と同様の色再現を有する印刷物を作成するには、最低、４版以上の版面を作成する必要があり、印刷工程、材料コストが増加する問題があった。また、特開平０９−５２４７９号公報は、特殊なインキを用いる必要があり、又シート全体に赤外線吸材料を印刷しているため、材料コストが増加する問題があった。
【００１０】
また、特開２００１−２０５９１７号公報は、特殊な網点形状を用いる必要があった。
【００１１】
本発明は前述した問題点を解決することを目的としたもので、特殊なインキを用いることなく、第１の版面（潜像画像部及び背景画像部）を有彩色のインキを用いて印刷し、第２の版面（潜像画像部又は背景画像部）を赤外線吸収材料を含む無彩色のインキを用いて印刷し、第３の版面（潜像画像部又は背景画像部）を有彩色のインキに対して補色関係の蛍光顔料を含有したインキで印刷することで、潜像画像部以外のデザインに階調を有するカラー印刷を施すことが可能となり、できるだけ少ない版数で、つまり、最低、３種類の版面と３色のインキで多色再現性に優れる印刷物が得られることから材料コスト及び印刷工程の低減が可能となり、特殊な網点形状を利用する必要がないため刷り合わせが容易であり、通常可視光下では階調を有する基本画像が視認でき、紫外線を照射して観察した場合に潜像画像部が視認され、且つ、赤外線反射表示装置で観察した場合に、紫外線を照射して観察した場合と同一の潜像画像部が視認できる。以上のことから、本発明は赤外線又は紫外線を照射することにより誰でも容易に真偽判別が可能となるダブルトーン印刷による潜像作成方法及びその印刷物を提案する。
【００１２】
【発明を解決しようとする手段】
本発明は、階調を有する基本画像に少なくとも３色のインキを用い、前記基本画像は、階調を有する背景画像部と少なくとも一つ以上の潜像画像部が設けられ、通常可視光下では階調を有する基本画像が視認でき、紫外線を照射して観察した場合に前記潜像画像部が暗く視認され、且つ、赤外線反射表示装置で観察した場合に、前記紫外線を照射して観察した場合と同一の前記潜像画像部が赤外吸収部として視認できる印刷物の潜像作成方法において、前記階調を有する基本画像に対して、任意の有彩色の第１のインキと赤外線吸収材料を含有した無彩色の第２のインキのダブルトーンでの色彩と、前記第１のインキと前記第１のインキとほぼ補色となるインキに紫外線を照射すると可視光で発光する蛍光顔料を含有した第３のインキのダブルトーンでの色彩が、ほぼ等色となるように色分解したデータを作成する工程と、前記色分解したデータから前記第１のインキと第２のインキのダブルトーンでの第１のインキ用の分色版と第２のインキ用の分色版、及び、前記第１のインキと第３のインキのダブルトーンでの第１のインキ用の分色版と第３のインキ用の分色版を作成する工程と、前記第１のインキと第２のインキのダブルトーンでの第１のインキ用の分色版と第２のインキ用の分色版に前記潜像画像部をマスキングし、前記第１のインキと第３のインキのダブルトーンでの第１のインキ用の分色版と第３のインキ用の分色版に前記階調を有する背景画像部をマスキングする工程と、前記潜像画像部をマスキングした前記第１のインキと第２のインキのダブルトーンでの第１のインキ用の分色版と、前記階調を有する背景画像部をマスキングした前記第１のインキと第３のインキのダブルトーンでの第１のインキ用の分色版を重ね合せる工程と、前記重ね合わせて得られた第１のインキ用の分色版と、前記潜像画像部をマスキングした第２のインキ用の分色版及び前記階調を有する背景画像部をマスキングした第３のインキ用の分色版から、第１のインキ用の版面、第２のインキ用の版面及び第３のインキ用の版面を作成する工程と、前記第１のインキ用の版面、第２のインキ用の版面及び第３のインキ用の版面を用いて印刷する工程からなるダブルトーン印刷による潜像作成方法である。
【００１３】
また、本発明は、階調を有する基本画像に少なくとも３色のインキを用い、前記基本画像は、階調を有する背景画像部と少なくとも一つ以上の潜像画像部が設けられ、通常可視光下では前記階調を有する基本画像が視認でき、紫外線を照射して観察した場合に前記潜像画像部が可視光で発光して視認され、且つ、赤外線反射表示装置で観察した場合に、前記紫外線を照射して観察した場合と同一の前記潜像画像部が赤外線反射部として視認できる印刷物の潜像作成方法において、任意の有彩色の第１のインキと赤外線吸収材料を含有した無彩色の第２のインキのダブルトーンでの色彩と、前記第１のインキと前記第１のインキとほぼ補色となるインキに紫外線を照射すると可視光で発光する蛍光顔料を含有した第３のインキのダブルトーンでの色彩が、ほぼ等色となるように色分解したデータを作成する工程と、前記色分解したデータから前記第１のインキと第２のインキのダブルトーンでの第１のインキ用の分色版と第２のインキ用の分色版、及び、前記第１のインキと第３のインキのダブルトーンでの第１のインキ用の分色版と第３のインキ用の分色版とを作成する工程と、前記第１のインキと第２のインキのダブルトーンでの第１のインキ用の分色版と第２のインキ用の分色版に前記階調を有する背景画像部をマスキングし、前記第１のインキと第３のインキのダブルトーンでの第１のインキ用の分色版と第３のインキ用の分色版に前記潜像画像部をマスキングする工程と、前記階調を有する背景画像部をマスキングした前記第１のインキと第２のインキのダブルトーンでの第１のインキ用の分色版と、前記潜像画像部をマスキングした前記第１のインキと第３のインキのダブルトーンでの第１のインキ用の分色版を重ね合せる工程と、前記重ね合せて得られた第１のインキ用の分色版と、前記階調を有する背景画像部をマスキングした第２のインキ用の分色版及び前記潜像画像部をマスキングした第３のインキ用の分色版から、第１のインキ用の版面、第２のインキ用の版面及び第３のインキ用の版面を作成する工程と、前記第１のインキ用の版面、第２のインキ用の版面及び第３のインキ用の版面を用いて印刷する工程からなるダブルトーン印刷による潜像作成方法である。
【００１４】
また、本発明は、基材上に階調を有する基本画像を設け、前記階調を有する基本画像は少なくとも一つ以上の潜像画像部と階調を有する背景画像部が設けられ、前記潜像画像部は任意の有彩色の第１のインキで印刷する第１の版面と赤外線吸収材料を含有した無彩色の第２のインキで印刷する第２の版面によって印刷され、前記階調を有する背景画像部は任意の有彩色の第１のインキで印刷する第１の版面と前記第１のインキとほぼ補色となるインキに紫外線を照射すると可視光で発光する蛍光顔料を含有した第３のインキで印刷する第３の版面によって印刷され、前記第１のインキと前記第２のインキのダブルトーンでの色彩と、前記第１のインキと前記第３のインキのダブルトーンでの色彩がほぼ等色であることを特徴とした印刷物であって、前記印刷物は通常可視光下では階調を有する基本画像が視認でき、紫外線を照射して観察した場合に前記潜像画像部が暗く視認され、且つ、赤外線反射表示装置で観察した場合に、前記紫外線を照射して観察した場合と同一の前記潜像画像部が赤外吸収部として視認できることを特徴とした印刷物である。
【００１５】
また、本発明は、基材上に階調を有する基本画像を設け、前記階調を有する基本画像は少なくとも一つ以上の潜像画像部と階調を有する背景画像部が設けられ、前記潜像画像部は任意の有彩色の第１のインキで印刷する第１の版面と前記第１のインキとほぼ補色となるインキに紫外線を照射すると可視光で発光する蛍光顔料を含有した第３のインキで印刷する第３の版面によって印刷され、前記階調を有する背景画像部は任意の有彩色の第１のインキで印刷する第１の版面と赤外線吸収材料を含有した無彩色の第２のインキで印刷する第２の版面によって印刷され、前記第１のインキと前記第２のインキのダブルトーンでの色彩と、前記第１のインキと前記第３のインキのダブルトーンでの色彩がほぼ等色であることを特徴とした印刷物であって、前記印刷物は通常可視光下では前記階調を有する基本画像が視認でき、紫外線を照射して観察した場合に前記潜像画像部が可視光で発光して視認され、且つ、赤外線反射表示装置で観察した場合に、前記紫外線を照射して観察した場合と同一の前記潜像画像部が赤外線反射部として視認できることを特徴とした印刷物である。
【００１６】
【発明の実施の形態】
図１に本発明の印刷物の作成工程を示す。図１に示すように印刷する上で使用する任意の有彩色の第１のインキ、赤外線吸収材料を含有した無彩色の第２のインキ、第１のインキとほぼ補色となるインキに紫外線を照射すると可視光で発光する蛍光顔料を含有した第３のインキから、ＳＴＥＰ１で第１のインキと第
２のインキのダブルトーンでのカラーチャートを作成・測定し、第１のインキと第３のインキのダブルトーンでのカラーチャートを作成・測定する。
【００１７】
ＳＴＥＰ２でＳＴＥＰ１で得られた第１のインキと第２のインキのダブルトーンでのカラーチャートと、第１のインキと第３のインキのダブルトーンでのカラーチャートとの色空間が重なる部分を決定する。
【００１８】
用意された階調を有する基本画像にＳＴＥＰ３でＳＴＥＰ２で得られた第１のインキと第２のインキのダブルトーンでのカラーチャートと、第１のインキと第３のインキのダブルトーンでのカラーチャートとの色彩がほぼ等色になるように正規化して色分解したデータを作成する。
【００１９】
ＳＴＥＰ４でＳＴＥＰ３で作成した色分解したデータから第１のインキと第２のインキのダブルトーンでの第１のインキ用の分色版と第２のインキ用の分色版、及び、第１のインキと第３のインキのダブルトーンでの第１のインキ用の分色版と第３のインキ用の分色版を作成する。
【００２０】
ＳＴＥＰ５で第１のインキと第２のインキのダブルトーンでの第１のインキ用の分色版と第２のインキ用の分色版に潜像画像部をマスキングし、第１のインキと第３のインキのダブルトーンでの第１のインキ用の分色版と第３のインキ用の分色版に階調を有する背景画像部をマスキングする。
【００２１】
ＳＴＥＰ６で潜像画像部をマスキングした第１のインキと第２のインキのダブルトーンでの第１のインキ用の分色版と、階調を有する背景画像部をマスキングした第１のインキと第３のインキのダブルトーンでの第１のインキ用の分色版を重ね合せる。
【００２２】
ＳＴＥＰ７で重ね合せて得られた第１のインキ用の分色版と、潜像画像部をマスキングした第２のインキ用の分色版及び階調を有する背景画像部をマスキングした第３のインキの分色版から、第１のインキ用の版面、第２のインキ用の版面及び第３のインキ用の版面を作成する。
【００２３】
ＳＴＥＰ８で第１のインキ用の版面、第２のインキ用の版面及び第３のインキ用の版面を用いて印刷する。
【００２４】
ＳＴＥＰ５では、第１のインキと第２のインキのダブルトーンでの第１のインキ用の分色版と第２のインキ用の分色版に潜像画像部をマスキングし、第１のインキと第３のインキのダブルトーンでの第１のインキ用の分色版と第３のインキ用の分色版に階調を有する背景画像部をマスキングしているが、ＳＴＥＰ５では、第１のインキと第２のインキのダブルトーンでの第１のインキ用の分色版と第２のインキ用の分色版に階調を有する背景画像部をマスキングし、第１のインキと第３のインキのダブルトーンでの第１のインキ用の分色版と第３のインキ用の分色版に潜像画像部をマスキングしても良い。
【００２５】
ＳＴＥＰ１からＳＴＥＰ９により、基材上に階調を有する基本画像を設けられ、階調を有する基本画像は少なくとも一つ以上の潜像画像部と階調を有する背景画像部が設けられ、潜像画像部は任意の有彩色の第１のインキで印刷する第１の版面と赤外線吸収材料を含有した無彩色の第２のインキで印刷する第２の版面によって印刷されて、階調を有する背景画像部は任意の有彩色の第１のインキで印刷する第１の版面と前記第１のインキとほぼ補色となるインキに紫外線を照射すると可視光で発光する蛍光顔料を含有した第３のインキで印刷する第３の版面によって印刷されて、第１のインキと第２のインキのダブルトーンでの色彩と、第１のインキと第３のインキのダブルトーンでの色彩がほぼ等色であることを特徴とする印刷物となる。
【００２６】
この印刷物は通常可視光下では階調を有する基本画像が視認でき、少なくとも一つ以上の潜像画像部は視認できない。紫外線を照射して観察した場合に潜像画像部が暗く視認され、且つ、赤外線反射表示装置で観察した場合に、紫外線を照射して観察した場合と同一の潜像画像部が赤外吸収部として視認できる。
【００２７】
更に、基材上に階調を有する基本画像を設け、階調を有する基本画像は少なくとも一つ以上の潜像画像部と階調を有する背景画像部が設けられ、潜像画像部は任意の有彩色の第１のインキで印刷する第１の版面と第１のインキとほぼ補色となるインキに紫外線を照射すると可視光で発光する蛍光顔料を含有した第３のインキで印刷する第３の版面によって印刷され、階調を有する背景画像部は任意の有彩色の第１のインキで印刷する第１の版面と赤外線吸収材料を含有した無彩色の第２のインキで印刷する第２の版面によって印刷してもよく、この場合、印刷物は通常可視光下では階調を有する基本画像が視認でき、紫外線を照射して観察した場合に潜像画像部が可視光で発光して視認され、且つ、赤外線反射表示装置で観察した場合に、紫外線を照射して観察した場合と同一の潜像画像部が赤外線反射部として視認できる。
【００２８】
本発明に用いる赤外線吸収材料は、７３０ｎｍ以上〜１０００ｎｍ程度の波長の吸収特性を持っていればよく、カーボンブラック、スズ化合物、ロイコ染料等を利用することができる。本発明に用いる蛍光顔料は紫外線を照射した場合、可視光で発光するものであれば、特に限定されることはない。
【００２９】
本発明の潜像パターンは、図柄、絵柄、文字、記号、バーコード等の情報を付与することができる。
【００３０】
本発明に用いる網点形状は、特に限定されるものでなく、サークル、スクエア等を用いることができる。
【００３１】
本発明に用いる基材は、紙葉類、フィルム、プラスチック等を利用することができる。
【００３２】
本発明に用いる印刷方法は特に限定されないが、網点を利用するオフセットで印刷する方法が好ましい。
【００３３】
本発明に用いるエネルギー線は簡易的な紫外線ランプ、赤外線表示装置等で十分潜像画像を視認することができる。
【００３４】
本発明に使用する有彩色のインキとは色相のあるインキであれば特に限定されることはなく、本発明に使用する無彩色のインキとは白からグレー、黒までの色のことをいう。本発明の補色とは、２色の混色により無彩色を表現可能な関係にある２色を、互いに補色としている。本発明のほぼ等色とは、ＣＩＥ色差△Ｅが６以下としている。但し、色差△Ｅがそれ以上ある場合は、可視光下で潜像が視認しやすくなるが、その場合、偽造者は特殊な印刷方法を用いることが容易に推測できるので、偽造者に対する偽造抑止効果となる。
【００３５】
【実施例】
以下、実施例を用いて本発明を更に詳細に説明するが、本発明の内容は、これらの実施例の範囲に限定されるものではない。
【００３６】
（実施例１）
プロセス印刷用のマゼンタインキ、カーボンブラックを含む墨インキ、そして緑色の特色インキ９０％に緑色に可視光で発光する無色透明な蛍光インキ（大日本インキ（株）製）を１０％配合したもの（以下、緑インキ）を用意し、マゼンタインキとカーボンブラックを含む墨インキのカラーチャートを作成し、そのカラーチャートから当該２色のインキの色空間を測定した。同様にして、マゼンタインキと緑インキの色空間を測定した。それら二つの色空間が重なる部分を等色可能空間とし、その空間内の網点面積率を、マゼンタインキとカーボンブラックを含む墨インキの混色によるものと、マゼンタインキと緑インキの混色によるものから、最小二乗近似法を用いて算出した。
【００３７】
図２に示す階調を有する基本画像を用意し、画像が等色空間内になるようにトーンカーブ等を修正することで正規化した。正規化された階調を有する基本画像をマゼンタインキとカーボンブラックを含む墨インキの２種類のインキについて、算出された網点面積率をもとに分色し、正規化された階調を有する基本画像をマゼンタインキと緑インキの２種類のインキについて、算出された網点面積率をもとに分色した。
【００３８】
マゼンタインキとカーボンブラックを含む墨インキ用の分色版のそれぞれについて図３に示すような潜像画像を潜像部分が印刷されるようにマスキングを行い、マゼンタインキと緑インキ用の分色版のそれぞれについて図４に示すように階調を有する背景画像部が印刷されるようにマスキングを行った。
【００３９】
それぞれのマゼンタインキ用の分色版を重ね合わせてマゼンタ版とし、カーボンブラックを含む墨インキ用の版面と蛍光顔料を加えた緑インキ用の版面は分色版をそのまま使用する。それぞれの版面（ここでは１５０線）を用いて、用紙に、それぞれのインキを加刷した。
【００４０】
図５に本発明の実施例１の印刷物を示す。図５は本発明の印刷物を通常の可視光下で観察した場合の図である。図５に示すように実施例１の印刷物１は通常可視光下では階調を有する基本画像２が視認でき、少なくとも一つ以上の潜像画像部３は視認できない。図６に本発明の印刷物に赤外線を照射した場合の状態を示す。印刷物１を赤外線の反射で観察すると潜像画像３に印刷されている墨インキ内のカーボンブラックが赤外線を吸収するので顕像化された。
【００４１】
図７に本発明の印刷物に紫外線を照射した場合の状態を示す。更に、紫外線を照射すると階調を有する背景画像部４が可視光で発光し図６と同様の潜像画像３が暗く顕像化した。
【００４２】
（実施例２）
実施例１の印刷物のデザインで階調を有する背景画像４と潜像画像３を反転（ネガ／ポジ）させて印刷物を作成した。実施例２の印刷物１は、実施例１の印刷物と同様に通常可視光下では階調を有する基本画像２が視認でき、少なくとも一つ以上の潜像画像部３は視認できない。しかしながら、この印刷物に赤外線を照射した場合、図８に示すように、階調を有する背景画像部４に印刷されている墨インキ内のカーボンブラックが赤外線を吸収するので顕像化され、潜像画像３は赤外反射部として顕像化した。この印刷物に紫外線を照射した場合、図９に示すように、潜像画像３が可視光で発光し階調を有する背景画像部４が暗くなり、図８と同様の潜像画像３が顕像化した。
【００４３】
以上、本発明の実施例に基づいて説明したが、本発明はこの実施例に限定されるものではなく、特許請求の範囲記載における技術的思想の範囲内であれば、その他のいろいろな実施の形態が考えられる。
【００４４】
【発明の効果】
本発明は、特殊なインキを用いることなく、第１の版面（潜像画像部及び背景画像部）を有彩色のインキを用いて印刷し、第２の版面（潜像画像部又は背景画像部）を赤外線吸収材料を含む無彩色のインキを用いて印刷し、第３の版面（潜像画像部又は背景画像部）を有彩色のインキに対して補色関係の蛍光顔料を含有したインキで印刷することで、潜像画像部以外のデザインに階調を有するカラー印刷を施すことが可能となり、できるだけ少ない版数で、つまり、最低、３種類の版面と３色のインキで多色再現性に優れる印刷物が得られることから材料コスト及び印刷工程の低減が可能となり、また、特殊な網点形状を利用する必要がないため刷り合わせが容易である。
【００４５】
また、本発明の印刷物は通常可視光下では階調を有する基本画像が視認でき、紫外線を照射して観察した場合に潜像画像部が視認され、且つ、赤外線反射表示装置で観察した場合に、紫外線を照射して観察した場合と同一の潜像画像部が視認できる。よって、本発明は２種類の光源（赤外線又は紫外線）で同じデザインの潜像画像が顕在化可能が可能であるため、偽造防止効果に優れ、誰でも用意に真偽判別することができる。
【００４６】
【図面の簡単な説明】
【図１】本発明の印刷物の作成工程を示す図である。
【図２】本発明の階調を有する基本画像を示す図である。
【図３】本発明の潜像画像を示す図である。
【図４】本発明の階調を有する背景画像を示す図である。
【図５】本発明の印刷物である。
【図６】本発明の印刷物に赤外線を照射した場合の図である。
【図７】本発明の印刷物に紫外線を照射した場合の図である。
【図８】本発明の印刷物に赤外線を照射した場合の図である。
【図９】本発明の印刷物に紫外線を照射した場合の図である。
【符号の説明】
１        印刷物
２        階調を有する基本画像
３        潜像画像
４        階調を有する背景画像
【図１】
0003545388.tif 000002
【図２】
0003545388.tif 000003
【図３】
0003545388.tif 000004
【図４】
0003545388.tif 000005
【図５】
0003545388.tif 000006
【図６】
0003545388.tif 000007
【図７】
0003545388.tif 000008
【図８】
0003545388.tif 000009
【図９】
0003545388.tif 000010